(57)【特許請求の範囲】
【請求項１】
筺体の内部にファンやフィルターを内蔵し、筺体の前面に設けた吸入口から吸引した粉塵や煙を浄化して清浄な空気を筺体の上部の吐出口から吐出する空気清浄器において、吐出口から吐出された吐出風の一部あるいはすべてを吸入口側に誘導する誘導部材を有し、この誘導部材は、吐出風を捕集する捕集部と、捕集部で捕集した吐出風を吸入口側に誘導する誘導部と、筺体に取り付けるための脚部とを有することを特徴とする空気清浄器。
【請求項２】
誘導部材は、吐出風を捕集する捕集部と捕集部で捕集した吐出風を吸入口側に誘導する誘導部とが一体的に形成されていることを特徴とする請求項１記載の空気清浄器。
【請求項３】
誘導部材に誘導する誘導風を整流するフィンを有することを特徴とする請求項１または請求項２記載の空気清浄器。
【請求項４】
誘導部材を筺体に起倒自在に装着し、倒した状態を誘導部材の収納状態とし、起こした状態を使用状態とすることを特徴とする請求項１乃至請求項３のいずれかに記載の空気清浄器。
【請求項５】
誘導部材を収納状態にしたとき、誘導部材の誘導部を筺体の係止部に係止して固定するようにしたことを特徴とする請求項４記載の空気清浄器。
【請求項６】
誘導部材を筺体に対して出し入れ自在とし、誘導部材を筺体に入れたとき誘導部材の一部またはすべてを収納し得るようにして成ることを特徴とする請求項１乃至請求項３のいずれかに記載の空気清浄器。
【請求項７】
誘導部材は誘導部材に所定方向に一定以上の力が加わると筐体より離脱するようにしたことを特徴とする請求項１乃至請求項５のいずれかに記載の空気清浄器。
【請求項８】
誘導部材が自動的に回動して筺体に対して起倒するようにして成ることを特徴とする請求項４記載の空気清浄器。
【請求項９】
誘導部材を持ち運び用の取手として兼用するようにしたことを特徴とする請求項１乃至請求項６のいずれかに記載の空気清浄器。
【請求項１０】
誘導部材を回動して誘導部材の角度を可変できるようにして吸入口側に誘導する風量を可変することを特徴とする請求項１乃至請求項９のいずれかに記載の空気清浄器。
【請求項１１】
誘導部材の誘導部の角度を可変できるようにしたことを特徴とする請求項１乃至請求項１０のいずれかに記載の空気清浄器。
【請求項１２】
筺体の内部にファンやフィルターを内蔵し、吸入口から吸引した粉塵や煙を浄化して清浄な空気を吐出口から吐出する空気清浄器において、吐出口から吐出された吐出風の一部あるいはすべてを吸入口側に誘導する誘導部材を設け、誘導部材で吸入口側に誘導する誘導風が当たる操作部を上記吐出口の吐出風量の少ない側に設けて成ることを特徴とする空気清浄器。
【請求項１３】
誘導部材を筺体に起倒自在に装着し、誘導部材を倒して収納状態にしたとき誘導部材で隠れない位置に操作部を形成して成ることを特徴とする請求項１２記載の空気清浄器。
【請求項１４】
筺体の内部にファンやフィルターを内蔵し、吸入口から吸引した粉塵や煙を浄化して清浄な空気を吐出口から吐出する空気清浄器において、空気を吸い込む吸入口を筺体に設け、筺体より離れた位置から吸入口に送風する送風手段を設けて成ることを特徴とする空気清浄器。
【請求項１５】
前記筺体の吸入口を有する外部の一面を前面とした場合、送風手段は平面視で前記前面の外側から送風するように形成されたことを特徴とする請求項１４記載の空気清浄器。
【請求項１６】
前記筺体の吸入口を有する外部の一面を前面とした場合、送風手段は平面視で前記前面の内側から送風するように形成されたことを特徴とする請求項１４記載の空気清浄器。
【請求項１７】
送風手段により吸入口に送る風量を、筺体内部のファンにより吸い込む風量より小さくしたことを特徴とする請求項１５記載の空気清浄器。
【請求項１８】
送風手段は一端から筐体内で清浄化した清浄風を取り入れ、他部から吸入口に送風するダクトからなることを特徴とする請求項１４乃至請求項１７のいずれかに記載の空気清浄器。
【請求項１９】
筺体内にダクトの一部を収納し得るように形成したことを特徴とする請求項１８記載の空気清浄器。
【請求項２０】
スイッチ操作によりダクトの収納や突出の動作をし得るようにしたことを特徴とする請求項１９記載の空気清浄器。
【請求項２１】
空気の汚れを検知したとき、ダクトを所定位置に動作させるように形成したことを特徴とする請求項２０記載の空気清浄器。
【請求項２２】
ダクトの他端の開口をエアーカーテンを形成するように長孔形状に形成したことを特徴とする請求項１８乃至請求項２１のいずれかに記載の空気清浄器。
【請求項２３】
ダクトの他端の開口にルーバーを設けたことを特徴とする請求項２２記載の空気清浄器。
【請求項２４】
ダクトの他端の開口部を多数の孔にて形成したことを特徴とする請求項１８乃至請求項２１のいずれかに記載の空気清浄器。
【請求項２５】
ダクトの一部を取手を兼ねるように形成したことを特徴とする請求項１８乃至請求項２４のいずれかに記載の空気清浄器。
【請求項２６】
ダクトを回動可能に形成したことを特徴とする請求項１８乃至請求項２５のいずれかに記載の空気清浄器。
【請求項２７】
ダクトを筺体の吸入口を有する外部の一面を見たとき筺体との間に所定量の空間を有するように形成したことを特徴とする請求項１８乃至請求項２６のいずれかに記載の空気清浄器。
【請求項２８】
ダクトの少なくとも他端開口側を偏平断面となるようにして成ることを特徴とする請求項１８乃至請求項２７のいずれかに記載の空気清浄器。
【請求項２９】
筺体の吸入口の後方側に吸入口から吸い込まれる空気と吐出口から吐出される清浄風の干渉を防止する壁部を設けたことを特徴とする請求項１４乃至請求項２８のいずれかに記載の空気清浄器。
【発明の詳細な説明】
【０００１】
【発明の属する技術分野】
本発明は、粉塵やタバコの煙を吸引して清浄化し、清浄化した空気を吹き出す空気清浄器の構造に関するものである。
【０００２】
【従来の技術】
従来の空気清浄器は図３５に示すように筺体１の内部にファン２やフィルター３を内蔵し、筺体１の前面に設けた吸入口４から矢印イのように吸引した粉塵や煙を浄化して清浄な空気を筺体１の上部の吐出口５から矢印ロのように吐出するようになっているのが一般的である。
【０００３】
【発明が解決しようとする課題】
上記空気清浄器を喫煙時に喫煙者の前において使用する場合、空気清浄器はテーブルや机の上に置いて使用されることが多く、空気清浄器に向けてタバコの煙を吹き付けても空気清浄器の吸入口の高さが座ったときの人の口の高さより低いことが多く、この場合、図３５の矢印ハのように空気清浄器の上を抜けて行くことが多かった。また空気清浄器の吸入口の高さを人の口の高さよりも高くすると使用時に圧迫感があり、空気清浄器の大きさも大きくなるため、テーブルや机の上では使えないことが多かった。
【０００４】
本発明は叙述の点に鑑みてなされたものであって、吸入口の上方に吹き付けられたタバコの煙も吸入口に誘導して吸入口から確実に吸入して清浄化することを課題とする。
【０００５】
【課題を解決するための手段】
上記課題を解決するために本発明の請求項１記載の空気清浄器では、筺体１の内部にファン２やフィルター３を内蔵し、筺体１の前面に設けた吸入口４から吸引した粉塵や煙を浄化して清浄な空気を筺体１の上部の吐出口５から吐出するものにおいて、吐出口５から吐出された吐出風の一部あるいはすべてを吸入口４側に誘導する誘導部材６を有することを特徴とする。吐出口５から吐出された吐出風の一部あるいはすべてを誘導部材６で誘導して吸入口４に導くことができ、この風の流れでタバコの煙が吸入口４に導かれ、タバコの煙が吸入口４の外側に漏れるのを減少させることができるものであって、タバコの煙を誘導部材６より下方に吹き付ければ吸入口４からタバコの煙を効果的に吸引して空気を清浄化できる。
【０００６】
また、誘導部材６は、吐出風を捕集する捕集部６ａと、捕集部６ａで捕集した吐出風を吸入口４側に誘導する誘導部６ｂと、筺体１に取り付けるための脚部６ｃとを有することを特徴とする。この場合、誘導部材６を脚部６ｃにて取り付けることができ、また吐出口５から吐出した吐出風を捕集部６ａで捕集して誘導部６ｂで吸入口４側に導くことができる。
【０００７】
本発明の請求項２の空気清浄器では、請求項１において、誘導部材６は、吐出風を捕集する捕集部６ａと捕集部６ａで捕集した吐出風を吸入口４側に誘導する誘導部６ｂとが一体的に形成されていることを特徴とする。
本発明の請求項３の空気清浄器では、請求項１または請求項２において、誘導部材６に誘導する誘導風を整流するフィン７を有することを特徴とする。この場合、フィン７にて整流することにより吐出口５からの風の吐出方向に関係なく、風をスムーズに吸入口４に導くことができてタバコの煙を効果的に吸引できる。
【０００８】
本発明の請求項４の空気清浄器では、請求項１乃至請求項３のいずれかにおいて、誘導部材６を筺体１に起倒自在に装着し、倒した状態を誘導部材６の収納状態とし、起こした状態を使用状態とすることを特徴とする。この場合、誘導部材６を使用しないときには誘導部材６を筺体１に収納することができて誘導部材６を使用しないとき邪魔にならないようにできる。
【０００９】
本発明の請求項５の空気清浄器では、請求項４において、誘導部材６を収納状態にしたとき、誘導部材６の誘導部６ｂを筺体１の係止部８に係止して固定するようにしたことを特徴とする。この場合、誘導部材６を収納した状態から不用意に飛び出すのを防止でき、また使用しないとき誘導部材６ががたつくのを防止できる。
【００１０】
本発明の請求項６の空気清浄器では、請求項１乃至請求項３のいずれかにおいて、誘導部材６を筺体１に対して出し入れ自在とし、誘導部材６を筺体１に入れたとき誘導部材６の一部またはすべてを収納し得るようにして成ることを特徴とする。この場合、誘導部材６を使用しないときには誘導部材６を収納して誘導部材６をなくしたり、破損したりするのを防止することができる。
【００１１】
本発明の請求項７の空気清浄器では、請求項１乃至請求項５のいずれかにおいて、誘導部材６は誘導部材６に所定方向に一定以上の力が加わると筺体１より離脱するようにしたことを特徴とする。誘導部材６の使用時に誘導部材６に外力が加わると外れて誘導部材６が破損するのを防止することができる。また誘導部材６に外力が加わっても筺体１側に無理な力がかからなく、筺体１側が壊れたり、また筺体１側が倒れて筺体１の背面側のものを壊したりするのを防止することができる。
【００１２】
本発明の請求項８の空気清浄器では、請求項４において、誘導部材６が自動的に回動して筺体１に対して起倒するようにして成ることを特徴とする。この場合、誘導部材６を自動的に起倒させることができ、誘導部材６を動かす手間を省くことが可能となり、また人によって動かすことがなくなって、故障の発生率を低減させることが可能となる。
【００１３】
本発明の請求項９の空気清浄器では、請求項１乃至請求項６のいずれかにおいて、誘導部材６を持ち運び用の取手として兼用するようにしたことを特徴とする。誘導部材６を取手として持つことができて運搬を容易にできる。また取手を設けるために筺体１に取手用の凹部を設けたりする必要がなく、筺体１内の風洞内部に不必要な形状をなくして送風効率を上げることができる。
【００１４】
本発明の請求項１０の空気清浄器では、請求項１乃至請求項９のいずれかにおいて、誘導部材６を回動して誘導部材６の角度を可変できるようにして吸入口４側に誘導する風量を可変することを特徴とする。この場合誘導部材６により吸入口４側へ落とし込む風量を可変させて吸い込み効率をベストの状態にすることが可能になる。
【００１５】
本発明の請求項１１の空気清浄器では、請求項１乃至請求項１０のいずれかにおいて、誘導部材６の誘導部６ｂの角度を可変できるようにしたことを特徴とする。この場合、誘導部６ｂで風を誘導する向きを自在に変えることができ、風を誘導する方向によってはエアーカーテンとしても使用することが可能となる。
本発明の請求項１２の空気清浄器では、筺体１の内部にファン２やフィルター３を内蔵し、吸入口４から吸引した粉塵や煙を浄化して清浄な空気を吐出口５から吐出するものにおいて、吐出口５から吐出された吐出風の一部あるいはすべてを吸入口４側に誘導する誘導部材６を設け、誘導部材６で吸入口４側に誘導する誘導風が当たる操作部２７を上記吐出口５の吐出風量の少ない側に設けて成ることを特徴とする。吐出口５から吐出された吐出風の一部あるはすべてを誘導部材６で誘導して吸入口４に導くことができ、この風でタバコの煙などの汚染物質が吸入口４に導かれ、タバコの煙などの汚染物質が吸入口４の外側に漏れるのを減少させることができる。このとき吐出口５から吐出された吐出風が誘導部材６で誘導されることで周囲の汚れた空気を巻き込んで操作部２７に当たるおそれがあるが、操作部２７に対応する部分で吐出風量を少なくしていることで汚れた空気が操作部２７に当たりにくくなり、操作部２７の汚れが少なく、操作部２７の操作時に手を汚してしまうという問題を減少できる。
【００１６】
本発明の請求項１３の空気清浄器では、請求項１２において、誘導部材６を筺体１に起倒自在に装着し、誘導部材６を倒して収納状態にしたとき誘導部材６で隠れない位置に操作部２７を形成して成ることを特徴とする。部屋の清浄用として使用する場合等には、誘導部材６を倒した収納状態でも操作部２７を操作して使用できる。
【００１７】
本発明の請求項１４の空気清浄器では、筺体１の内部にファン２やフィルター３を内蔵し、吸入口４から吸引した粉塵や煙を浄化して清浄な空気を吐出口５から吐出する空気清浄器において、空気を吸い込む吸入口４を筺体１に設け、筺体１より離れた位置から吸入口４に送風する送風手段を設けて成ることを特徴とする。筺体１より離れた位置から吸入口４に送風することで搬送風を形成し、この搬送風にてタバコの煙などの汚染物質が吸入口４に導かれ、汚染物質が拡散しないように吸入口４に円滑に導入できるものであって、タバコの煙等の汚染物質を効果的に吸引して空気を清浄化できる。
【００１８】
本発明の請求項１５の空気清浄器では、請求項１４において、前記筺体１の吸入口４を有する外部の一面を前面とした場合、送風手段は平面視で前記前面の外側から送風するように形成されたことを特徴とする。この場合、平面視で前面の外側から送風することで、拡散したタバコの煙等の汚染物質を捕集しやすく効率的に汚染物質を吸い込むことができる。
【００１９】
本発明の請求項１６の空気清浄器では、請求項１４において、前記筺体１の吸入口４を有する外部の一面を前面とした場合、送風手段は平面視で前記前面の内側から送風するように形成されたことを特徴とする。平面視でその前面の内側から送風することで手元にあるタバコの煙などの汚染物質も効果的に吸い込みやすくなる。
【００２０】
本発明の請求項１７の空気清浄器では、請求項１５において、送風手段により吸入口４に送る風量を、筺体１内部のファン２により吸い込む風量より小さくしたことを特徴とする。搬送風の風量を筺体１の内部のファン２より送風する風量より小さくすることで吸入口４から吸い込みやすくなる。
本発明の請求項１８の空気清浄器では、請求項１４乃至請求項１７において、送風手段は一端から筐体１内で清浄化した清浄風を取り入れ、他部から吸入口４に送風するダクト３０からなることを特徴とする。筺体１内を通過して清浄化された空気をダクト３０を通じて送風して吸入口４に向かう搬送風を形成できる。このために送風手段は１つで可能となって、スペース、コストの面で有利となる。
【００２１】
本発明の請求項１９の空気清浄器では、請求項１８において、筺体１内にダクト３０の一部を収納し得るように形成したことを特徴とする。ダクト３０の一部を収納できることで、オフィスなどのデスク上に置いた場合、視界を妨げるなどの支障が生じることがなくなる。
本発明の請求項２０の空気清浄器では、請求項１９において、スイッチ操作によりダクト３０の収納や突出の動作をし得るようにしたことを特徴とする。スイッチ操作だけでダクト３０の収納や突出の操作ができて手動で収納や突出の操作を行うのに比べて操作の煩わしさを解消することができる。
【００２２】
本発明の請求項２１の空気清浄器では、請求項２０において、空気の汚れを検知したとき、ダクト３０を所定位置に動作させるように形成したことを特徴とする。空気の汚れを検知すると同時にダクト３０を動作させることができ、手動でダクト３０を出す手間が省け、汚れに応じて空気を素早く清浄することが可能となる。
【００２３】
本発明の請求項２２の空気清浄器では、請求項１８乃至請求項２１のいずれかにおいて、ダクト３０の他端の開口をエアーカーテンを形成するように長孔形状に形成したことを特徴とする。長孔３１からエアーカーテンを出すことによって気流が一定となって整流され、吸入口４からスムーズに吸入される。
本発明の請求項２３の空気清浄器では、請求項２２において、ダクト３０の他端の開口にルーバー３２を設けたことを特徴とする。ルーバー３２を操作することで状況に合わせて風向を変更したり、風量を調整したりできる。
【００２４】
本発明の請求項２４の空気清浄器では、請求項１８乃至請求項２１のいずれかにおいて、ダクト３０の他端の開口部を多数の孔３３にて形成したことを特徴とする。多数の孔３０からエアーカーテンを出すことによってより整流されて吸入口４からスムーズに吸入される。
本発明の請求項２５の空気清浄器では、請求項１８乃至請求項２４のいずれかにおいて、ダクト３０の一部を取手を兼ねるように形成したことを特徴とする。別に取手を設ける必要がなくなり、スペースやコスト的に削減できる。
【００２５】
本発明の請求項２６の空気清浄器では、請求項１８乃至請求項２５のいずれかにおいて、ダクト３０を回動可能に形成したことを特徴とする。ダクト３０を回動することでダクト３０から吹き出す向きを調整でき、吸入口４からより吸い込みやすい条件に調整可能となる。
本発明の請求項２７の空気清浄器では、請求項１８乃至請求項２６のいずれかにおいて、ダクト３０を筺体１の吸入口４を有する外部の一面を見たとき筺体１との間に所定量の空間を有するように形成したことを特徴とする。このようにすることで喫煙時のタバコの煙等の汚染物質を受ける面積が大きくなり、吸入口４からより吸い込みやすくなる。
【００２６】
本発明の請求項２８の空気清浄器では、請求項１８乃至請求項２７のいずれかにおいて、ダクト３０の少なくとも他端開口側を偏平断面となるようにして成ることを特徴とする。
本発明の請求項２９の空気清浄器では、請求項１４乃至請求項２８のいずれかにおいて、筺体１の吸入口４の後方側に吸入口４から吸い込まれる空気と吐出口５から吐出される清浄風の干渉を防止する壁部３４を設けたことを特徴とする。この場合、吸入口４から吸い込まれる空気と吐出口５から吐出される清浄風の干渉を壁部３４にて防止することができ、本来の目的である煙の吸引効果を十分に得ることができる。
【００２７】
【発明の実施の形態】
まず、図１乃至図２に示す実施の形態から述べる。
筺体１は偏平な角箱状に形成されており、内部にファン２やファン２を駆動するモータやフィルター３を内装してある。この筺体１は図３や図４に示すように前面板１ａ、筺体本体１ｂ、風洞部材１ｃ及び背面板１ｄで構成されている。筺体１の前面板１ａと筺体本体１ｂとの間にはフィルター３を内装してあり、筺体本体１や風洞部材１ｃの部分にファン２を内装してある。筺体１の前面板１ａには吸入口４を設けてあり、筺体１の上面には吐出口５を設けてあり、ファン２を駆動すると、吸入口４から吸入された空気がフィルター３を介して吸入され、吐出口５から上方に向けて（図１の矢印ａ）吐風されるようになっている。また筺体１の前面の両側には側部吐出口１０を設けてあり、筺体１の背面板１ｄには吸入口１１を設けてあり、ファン２を駆動すると、外気を吸入口１１から吸入して側部吐出口１０から吐出し、両側にエアーカーテンを形成するようになっている。筺体１の背面板１ｄの上部には取手用の凹部１５を凹設してあり、この凹部１５に手を掛けることで持ち運びできるようになっている。筺体１の前面には空気清浄器の運転を操作する運転スイッチ２７ａのような操作部２７を設けてある。
【００２８】
また誘導部材６は図５に示すように筺体１の幅方向に亙る長さの平板状の捕集部６ａと、捕集部６ａの下面から一体に突設した誘導部６ｂと、捕集部６ａの両端に一体に設けた脚部６ｃとで構成され、合成樹脂のような材料にて形成されている。誘導部材６の捕集部６ａの下面には整流のための複数のフィン７を一体に設けてある。筺体１の両側の側面には誘導部材６の脚部６ｃを収納し得る脚部収納凹部１２を設けてあり、両側の脚部６ｃの端部の取り付け部１３を脚部収納凹部１２の上部に回動自在に装着してある。この誘導部材６は捕集部６ａが吐出口５の上方に位置するように回動した状態が誘導部材６の使用状態であり、捕集部６ａが前面板１ａに沿うように倒した状態が収納状態である。
【００２９】
しかしてファン２を駆動すると、吸入口４から吸入された空気はフィルター３を通って清浄化され、清浄化された空気が上面の吐出口５から図１の矢印ａのように真上に吐出される。一方背面の吸入口１１から吸入された空気は両側の側部吐出口１０から吐出されて両側にエアーカーテンが形成される。誘導部材６を使用状態にしたときには上面の吐出口５から吐出された風の一部が誘導部材６の捕集部６ａで捕集され、フィン７にて整流されて図１の矢印ｂのように誘導部６ｂに導かれ、誘導部６ｂにて図１の矢印ｃのように風が斜め下方を向くように誘導されて風が下方に落とし込まれ、タバコの煙が図１の矢印ｄのように流れてきたとき、上記下方への風にて図１の矢印ｅのように下方に向けられ、タバコの煙が吸入口４に誘導され、吸入口４からタバコの煙が確実に吸入される。従ってタバコの煙が吸入口４の外側に漏れるのを減少させることができるものであって、タバコの煙を誘導部材６より下方に吹き付ければ吸入口４からタバコの煙を効果的に吸引して空気を清浄化できる。また誘導部材６は整流するフィン７を有するために、捕集部６ａで捕集した風をフィン７にて整流することにより吐出口５からの風の吐出方向に関係なく、風をスムーズに吸入口４に導くことができてタバコの煙を効果的に吸引できる。また誘導部材６を使用しないときには誘導部材６を倒して筺体１に収納することができて誘導部材６を使用しないとき邪魔にならないようにできる。また誘導部材６は上記のように上下に回動して起倒できるために誘導部材６の角度を変えることができ、吐出口５から吐風する風の捕集部６ａに当てる量を可変させ、吸入口４側へ落とし込む風の量を可変できる。つまり、誘導部材６により吸入口４側へ落とし込む風量を可変させて吸い込み効率をベストの状態にすることが可能になる。誘導部材６の角度を可変にするとき一定間隔で固定できるようになっていても、無段階で固定できるようになっていてもよい。
【００３０】
次に図７に示す実施の形態について述べる。
本例も上記例と基本的に同じであり、異なる点だけを述べる。誘導部材６は上記のように上下に回動することにより起倒自在になっているが、誘導部材６を倒して収納したとき誘導部材６の誘導部６ｂを筺体１の係止部８に挿入して係止し得るようになっている。この場合、誘導部材６を収納した状態から不用意に飛び出すのを防止でき、また使用しないとき誘導部材６ががたつくのを防止できる。
【００３１】
次に図８に示す実施の形態について述べる。
本例も上記例と基本的に同じであり、異なる点だけを述べる。誘導部材６の両側の脚部６ｃの取り付け部１３を筺体１に上下に摺動に自在になると共に上端の位置で回動自在になるように装着してある。また筺体１の上面から下方に凹没するように誘導部材６を収納し得る収納凹部１６を設けてある。誘導部材６を上方に突出させて誘導部材６を所定の角度に傾けた図８（ａ）のような使用状態から誘導部材６を垂直に立て、誘導部材６を図８（ｂ）に示すように下方にスライドさせることにより、誘導部材６を収納凹部１６に収めて収納状態にできるようになっている。この場合、誘導部材６を使用しないときには誘導部材６を収納して誘導部材６をなくしたり、破損したりするのを防止することができる。また上記と逆に誘導部材６を操作して上方に誘導部材６を突出させることにより誘導部材６を使用状態にできるようになっている。
【００３２】
次に図９に示す実施の形態について述べる。
本例も上記例と基本的に同じであり、異なる点だけを述べる。誘導部材６の両側の取り付け部１３を筺体１の両側に取り付けるとき、取り付け部１３の軸部１７を図９（ｂ）のように筺体１の軸孔１８にはめ込むことで取り付けてあり、合成樹脂で形成せる誘導部材６の弾性変形にて軸部１７が軸孔１８から外れるようになっている。従って図９（ａ）のように誘導部材６を起立させた誘導部材６の使用状態で［図９（ａ）の想像線の状態］で矢印ｆに示すような外力がかかった場合、この外力が所定以上の外力であると、軸部１７が軸孔１８から抜けて誘導部材６が外れる。これにより誘導部材６が破損するのを防止することができ、また筺体１側に無理な力がかからなく、筺体１側が壊れたり、また筺体１側が倒れて筺体１の背面側のものを壊したりするのを防止することができる。
【００３３】
次に図１０に示す実施の形態について述べる。
本例も上記例と基本的に同じであり、異なる点だけを述べる。本例の場合、誘導部材６が自動的に回動して筺体１に対して起倒するようにしてある。つまり、誘導部材６の脚部６ｃに従動軸２２を設けてあり、モータ２３の駆動軸２４をギヤ２５，２６を介して従動軸２２に連動させてあり、モータ２３の駆動にて自動的に誘導部材６を上下に回動して起倒できるようになっている。この場合、誘導部材６を自動的に起倒させることができ、誘導部材６を動かす手間を省くことが可能となり、また人によって動かすことがなくなって、故障の発生率を低減させることが可能となる。また上記誘導部材６を自動的に動かすのは、例えば空気清浄器の運転スイッチ２７ａのような操作部２７を操作したときである。またセンサーによる汚れの検出によりファン２を運転させるとき誘導部材６を自動的に開放するようにしてもよい。またセンサーによる自動運転中に運転終了と共に誘導部材６を閉じることもできる。
【００３４】
次に図１１に示す実施の形態について述べる。
本例も上記例と基本的に同じであり、異なる点だけを述べる。本例の場合、誘導部材６の捕集部６ａが２枚の板材１９，２０にて形成されており、この２枚の板材１９，２０を軸２１にて二つ折り自在に連結してある。誘導部材６の使用状態では図１１（ａ）のように２枚の板材１９，２０を展開して捕集部６ａに風を捕集できるようになっているが、図１１（ａ）の状態から図１１（ｂ）の状態に板材１９，２０を重ねるように二つ折りすることで取手として持って持ち運びすることができるようになっている。つまり、捕集部６ａを二つ折りすることで幅を狭くすると共に強度を持たせることができて取手とできるようになっている。このとき誘導部材６を取手として持つことができて運搬を容易にできる。また取手を設けるために筺体１に取手用の凹部１５を設けたりする必要がなく、筺体１内の風洞内部に不必要な形状をなくして送風効率を上げることができる。
【００３５】
次に図１２に示す実施の形態について述べる。
本例も上記例と基本的に同じであり、異なる点だけを述べる。本例の場合、誘導部材６の誘導部６ｂを図１２（ａ）の矢印ｇのように上下に回動自在にしてある。このようにすることで誘導部６ｂの角度を可変でき、誘導部６ｂにて風を誘導する向きを自在にできる。つまり、図１２（ｂ）の矢印ｈのように風を水平に導いたり、図１２（ｃ）の矢印ｉのように風を斜め下方に導いたりできるようになっている。図１２（ｂ）のように風を流すことにより、喫煙者の上方にエアーカーテンを形成することができ、上記のように側部吐出口１０から吹き出す風で形成される両側のエアーカーテンとで喫煙者の周囲に煙が流れて行くことを防止することができる。
【００３６】
次に図１３に示す実施の形態について述べる。
本例も上記例と基本的に同じであり、異なる点だけを述べる。本例の場合、風洞部材１ｃの風洞から上方に向けて清浄化された空気が吐出する風洞の吐出幅Ｗが図１３のように左側に偏っており、吐出口５から上方に吐出す吐出風の風量は図１３の矢印ｊで示すように左から右に向かって少なくなるようになっている（矢印の大きさで風量の大小を示している。）そして吐出風の風量の最も少ない部分に対応する位置で筺体１の上部に運転スイッチ２７ａのような操作部２７を設けてある。ところで、誘導部材６を起てた状態で運転しているとき、吐出口５から吐出する空気が誘導部材６で誘導されて筺体１の上部に当たるが、この空気が例えフィルター３を通過して清浄化された空気であっても周囲の空気を巻き込むおそれがあるために誘導された空気が当たる部分が汚れてしまうというおそれがある。ところが、図１３に示すものでは、吐出口５から吐出する吐出風の風量の最も少ない位置に対応する部分で操作部２７を設けているために操作部２７に当たる風の風量が少なく、操作部２７の汚れが少なく、操作部２７の操作時に手を汚してしまうという問題を減少できる。
【００３７】
次に図１４に示す実施の形態について述べる。
本例も上記例と基本的に同じであり、異なる点だけを述べる。誘導部材６は図１４（ａ）に示すように起てた状態で使用状態とでき、図１４（ｂ）に示すように倒した状態で収納状態にできるようになっているが、本例の場合、図１４（ｂ）のように誘導部材６を倒した状態で運転スイッチ２７ａのような操作部２７が露出するようになっている。このようにしてあると、部屋の清掃用として使用する場合、誘導部材６を起てることなく倒した状態でも操作部２７を操作して使用することができる。
【００３８】
次に図１５乃至図１７に示す実施の形態について述べる。
本例も上記例と基本的に同じであり、異なる点だけを述べる。筺体１の両側の側面には誘導部材６の脚部６ｃを収納し得る脚部収納凹部１２を設けてあり、両側の脚部６ｃの端部の取り付け部１３を脚部収納凹部１２に回動自在に装着してある。脚部収納凹部１２のある位置で側面板３６には貫通孔を穿孔してあり、この貫通孔に回転リング３７を装着してある。脚部６ｃの取り付け部１３には軸部３８を設けてあり、軸部３８を回転リング３７内に回転自在に挿通してある。上記軸部３８の長さは回転リング３７の厚さより脚部収納凹部１２の深さ程度長くなっている。つまり、通常の状態では図１５に示すように回転リング３７の内側面と軸部３８の鍔部３８ａとの間に脚部収納凹部１２の深さに相当する隙間Ｓができるようにしてある。しかして通常時は図１５に示すように脚部６ｃの弾性にて脚部６ｃが脚部収納凹部１２に収まる状態になっているが、脚部６ｃを弾性に抗して広げると、軸部３８を外側に摺動させて図１６に示すように脚部６ｃを脚部収納凹部１２から外に出すことができるようになっている。しかして誘導部材６を起てた状態の空気清浄器が転倒すると、図１７（ａ）のような転倒直後は図１５の状態になっているが、図１７（ｂ）のように転倒後に筺体１の荷重がかかると、図１６の状態になって脚部６ｃが脚部収納凹部１２から外に出る。これにより、空気清浄器が転倒しても誘導部材６が破損するのを防止できる。
【００３９】
次に図１８に示す実施の形態について述べる。
ファン２を駆動するモータ３９を取り付ける構造に関するものである。モータ３９のフランジ３９ａをモータ取り付けボス４０に取り付けるとき、フランジ３９ａの両面に防振ゴム４１を介装し、ネジ４２をワッシャ４３、防振ゴム４１、フランジ３９を介して挿通し、ネジ４２にモータ取り付けボス４０の雌ねじ孔４４に螺合している。ところで、従来は図１８（ｂ）の示すようにネジ４２を締め付けるときの締め付けトルクにてモータ３９の取り付け状態を管理しているが、防振ゴム４１のばらつき等で図１８（ｃ）に示すようにモータ３９が傾いて取り付けられることがある。そこで本発明では、図１８（ａ）のようにネジ４２の先端が雌ねじ孔４４の奥端面４４ａまで螺合することで取り付け状態を管理しており、モータ３９が平行に取り付けられるようになっている。
【００４０】
次に図１９、図２０に示す実施の形態について述べる。
本例も上記例と基本的に同じであり、異なる点だけを述べる。空気清浄器の筺体１の左右には側部吐出口１０が設けられ、この側部吐出口１０に対応する内部には風向きや風量を調整するルーバー４５が取り付けられる。このルーバー４５は左右で形状が異なる。このため左用ルーバー４５ａと右用ルーバー４５ｂを用意してある。そしてこの左用ルーバー４５ａと右用ルーバー４５ｂを左右を間違えて取り付けないように、ルーバー４５の上下に設ける軸部４６の長さや軸部４６を受ける軸受部４７の深さを変えてあり、左右を間違えるとルーバー４５を取り付けられないようにしてある。本例の場合、軸部４６の長さや軸受部４７の深さを変えてあるが、軸部４６や軸受部４７の径を変えてもよい。
【００４１】
次に図２１、図２２に示す実施の形態について述べる。
本例も上記例と基本的に同じであり、異なる点だけを述べる。図２２に示すようにグリルを有する前面板１ａの背面に逆入れ防止リブ４８を設けてある。これにより、図２１（ａ）のように筺体本体１ｂ内にフィルター３を正規の状態で装着したときには前面板１ａを筺体本体１ｂに装着できるが、図２１（ｂ）に示すようにフィルター３を逆に装着した場合には前面板１ａを装着できないようになっている。つまり、フィルター３の逆方向への取り付けは火種等の吸い込み時にフィルター３の活性炭が外側を向くと着火の危険性があるが、上記のようにフィルター３の逆入れを防止することにより、上記弊害を防止できる。
【００４２】
次に図２３に示す実施の形態について述べる。
本例も上記例と基本的に同じであり、異なる点だけを述べる。前面板１ａは前面板１ａの下部を筺体本体１ｂの下部に支持することで取り付けてある。つまり、図２３に示すように筺体本体１ｂの支持突起５０に対して前面板１ａの下部の被支持凹部５１を回転自在に嵌め合わせ、前面板１ａを起立させた状態で支持突起５０と被支持凹部５１の被係止部５１ａとが係止して前面板１ａが取り付けられるようになっているが、前面板１ａを外すために前面板１ａを水平に倒したとき、支持突起５０から被支持凹部５１が抜けて前面板１ａが外れ、支持突起５０や被支持凹部５１に力が加わらない構造となっている。
【００４３】
次に図２４に示す実施の形態について述べる。
筺体１内にはファン（本例の場合クロスフローフアン）２やフィルター３を内装してあり、筺体１の前面上部には吸入口４を設けてあり、筺体１の上面の後部には吐出口５が設けてある。しかしてファン２を駆動することで吸入口４からタバコの煙等の汚染物質を含んだ空気を吸い込み、フィルター３で汚染物質を除去したり消臭したりして吐出口５から清浄な空気を吐出するようになっている。そして本発明では、筺体１から離れた位置に送風源を設けて図２４の矢印ｋに示すように送風し、吸入口４に向けて搬送風を発生させることにより、その搬送風により汚染物質（この場合主にタバコの煙）を効果的に吸入口４に吸い込ませるようにしている。これにより、搬送風にてタバコの煙などの汚染物質が吸入口４に導かれ、汚染物質が拡散しないように吸入口４に円滑に導入できるものであって、タバコの煙等の汚染物質を効果的に吸引して空気を清浄化できる。この搬送風を発生させるための矢印ｋのように送風するのは筺体１内のファン２とは別異の送風手段を別途設けて行っても、後述するようにファン２で筺体１内から送風する空気をダクト３０等で導いて行ってもよい。また図２４に示す例では吸入口４に矢印ｋのように送風して搬送風を形成するとき、平面視で前記前面の外側から送風するように（吸入口４の左右両側から送風するように）してある。この場合、平面視で前面の外側（左右両側）から送風することで、拡散したタバコの煙等の汚染物質を捕集しやく効率的に汚染物質を吸い込むことができる。
【００４４】
次に図２５に示す実施の形態について述べる。
本例も上記例と基本的に同じであり、異なる点だけを述べる。この場合、吸入口４に矢印ｍに示すように送風して搬送風を形成するとき、平面視で前記前面の内側から送風するように（吸入口４の左右方向の中央から送風するように）してある。この場合、平面視でその前面の内側（左右方向の中央）から送風することで手元にあるタバコの煙などの汚染物質も効果的に吸い込みやすくなる。
【００４５】
また図２４や図２５の実施の形態の例で、搬送風の風量を吸入口４からファン２にて吸い込む風量より少なくすることが望ましい。搬送風の風量を筺体１の内部のファン２より送風する風量より小さくすることで吸入口４から吸い込みやすくなる。
次に図２６に示す実施の形態について述べる。
【００４６】
本例の場合、筺体１の上にダクト３０を装着してある。このダクト３０は本例の場合、平面から見てコ字形になり、側面から見て逆Ｌ字状になっており、筺体１の前面と平行な前部ダクト部３０ａと両側の側部ダクト部３０ｂと側部ダクト部３０ｂの後部から垂下した脚部ダクト部３０ｃとで構成されている。筺体１内にはファン２やフィルター３を内装してあり、吸入口４から矢印ｎのように吸入した空気が清浄化されて矢印ｐのように筺体１内の後部の空間５５に流れ込み、この清浄化された空気の一部が矢印ｑに示すようにダクト３０内を流れると共に残りの空気が吐出口５から吐出され、ダクト３０を流れる空気は前部ダクト部３０ａの下部の開口部から矢印ｒのように吹き出すようになっている。このように前部ダクト部３０ａの開口部から矢印ｒのように清浄化された空気を吹き出すことで搬送風を形成し、吸入口４から汚染物質を含んだ空気を吸い込みやすくなる。本例の場合筺体１内を通過して清浄化された空気をダクト３０を通じて送風して吸入口４に向かう搬送風を形成できるため送風手段は１つで可能となって、スペース、コストの面で有利となる。
【００４７】
次に図２７に示す実施の形態について述べる。
本例の場合も上記例と基本的に同じであり、異なる点だけを述べる。本例の場合、筺体１内にダクト３０の一部を収納し得るようにした。つまり、ダクト３０の両側の脚部ダクト部３０ｃを筺体１に上下に出し入れ自在に装着してあり、脚部ダクト部３０ｃを図２７に示すＢ寸法分下降させて収納できるようになっている。このようにダクト３０の一部を収納できることで、オフィスなどのデスク上に置いた場合、視界を妨げるなどの支障が生じることがなくなる。このダクト３０を上下させて収納したり、上に突出させたりするとき、スイッチ操作により行えるようにすることが望ましい。つまり、モータ等の動力でダクト３０を上下に移動できるようにすると、スイッチ操作にてダクト３０の移動を操作できる。このようにスイッチ操作だけでダクト３０の収納や突出の操作ができると、手動で収納や突出の操作を行うのに比べて操作の煩わしさを解消することができる。また空気の汚れを検知するセンサーを設け、この汚れの状態の検知によりダクト３０を所定位置に動作させるようにすることも好ましい。空気の汚れを検知すると同時にダクト３０を動作させることができ、手動でダクト３０を出す手間が省け、汚れに応じて空気を素早く清浄することが可能となる。
【００４８】
次に図２８に示す実施の形態について述べる。
本例の場合も上記例と基本的に同じであり、異なる点だけを述べる。本例の場合、ダクト３０の前部ダクト部３０ａの下面に設ける開口部が左右方向に長い長孔３１を左右方向に列設することで形成されている。この場合、長孔３１からエアーカーテンを出すことによって気流が一定なって整流され、吸入口４からスムーズに汚染物質を含んだ空気が吸入される。
【００４９】
次に図２９に示す実施の形態について述べる。
本例の場合も上記例と基本的に同じであり、異なる点だけを述べる。本例の場合、前部ダクト部３０ａの下面に設ける開口部が長孔３１等で形成されているが、この長孔３１等の開口部にルーバー３２を回転自在に装着してある。このようにルーバー３２を設けてあると、ルーバー３２を操作することで状況に合わせて風向を変更したり、風量を調整したりできる。
【００５０】
次に図３０に示す実施の形態について述べる。ダクト３０の前部ダクト部３０ａの下面に設ける開口部を多数の孔３３にて形成してある。この場合、多数の孔３３からエアーカーテンを出すことによってより整流されて吸入口４からスムーズに汚染物質を含んだ空気が吸い込まれる。
次に図３１に示す実施の形態について述べる。本例の場合、ダクト３０は丸パイプ状に形成してあり、ダクト３０の両側の下端を筺体１の両側の側面に回転自在に装着してある。この場合、ダクト３０を実線で示すように起てることでダクト３０の一部を取手と兼用することができる。このようにすると、別に取手を設ける必要がなくなり、スペースやコスト的に削減できる。またダクト３０は図６の矢印のように前後に回動でき、このようにダクト３０を回動して位置を変えることで、ダクト３０から吹き出す向きを変えて風向きを調整でき、喫煙時の制約が少なくなり、より吸い込みやすい状態に、エアーカーテンを向けることができる。図は一例を示しているが、ダクト３０の途中に関節を付けることも考えられる。
【００５１】
次に図３２に示す実施の形態について述べる。
本例の場合、ダクト３０の開口部と吸入口４との間に符号Ｄに示す上下幅の所定量の空間を有するものであり、喫煙時のタバコの煙等の汚染物質を受ける面積が大きくなり、吸入口４からより吸い込みやすくなる。
次に図３３に示す実施の形態について述べる。
【００５２】
本例の場合、ダクト３０の前部ダクト部３０ａの断面を偏平断面としてあり、下面に前部ダクト部３０ａの長手方向の全長に亙る細長い開口部を設けてある。このように前部ダクト部３０ａを偏平断面とすることで吹き出し風量や風速の調整が容易にでき、しかも開口部が長手方向に細長く亙ることで、均一な細長いエアーカーテンを形成することができ、より搬送能力が向上する。
【００５３】
次に図３４に示す実施の形態について述べる。
本例の場合、筺体１の吸入口４の後方側に吸入口４から吸い込まれる空気と吐出口５から吐出される清浄風の干渉を防止する壁部３４を設けてある。この場合、吸入口４から吸い込まれる空気と吐出口５から吐出される清浄風の干渉を壁部３４にて防止することができ、本来の目的である煙の吸引効果を十分に得ることができる。
【００５４】
【発明の効果】
本発明の請求項１の発明は筺体の内部にファンやフィルターを内蔵し、筺体の前面に設けた吸入口から吸引した粉塵や煙を浄化して清浄な空気を筺体の上部の吐出口から吐出する空気清浄器において、吐出口から吐出された吐出風の一部あるいはすべてを吸入口側に誘導する誘導部材を有するので、吐出口から吐出された吐出風の一部あるいはすべてを誘導部材で誘導して吸入口に導くことができ、この風の流れでタバコの煙が吸入口に導かれ、タバコの煙が吸入口の外側に漏れるのを減少させることができるものであって、タバコの煙を誘導部材より下方に吹き付ければ吸入口からタバコの煙を効果的に吸引して空気を清浄化できるものである。
【００５５】
また、誘導部材は、吐出風を捕集する捕集部と、捕集部で捕集した吐出風を吸入口側に誘導する誘導部と、筺体に取り付けるための脚部とを有するので、誘導部材を脚部にて筺体に取り付けることができ、また吐出口から吐出した吐出風を捕集部で捕集して誘導部で吸入口側に導くことができるものである。
【００５６】
また本発明の請求項３記載の発明にあっては、請求項１または請求項２において、誘導部材に誘導する誘導風を整流するフィンを有するので、フィンにて整流することにより吐出口からの風の吐出方向に関係なく、風をスムーズに吸入口に導くことができてタバコの煙を効果的に吸引できるものである。
また本発明の請求項４記載の発明にあっては、請求項１乃至請求項３のいずれかにおいて、誘導部材を筺体に起倒自在に装着し、倒した状態を誘導部材の収納状態とし、起こした状態を使用状態とするので、誘導部材を使用しないときには誘導部材を筺体に収納することができて誘導部材を使用しないとき邪魔にならないようにできると共にデザイン的にもすっきりできるものであり、また誘導部材を着脱自在にするもののように誘導部材を紛失したり、壊してしまうおそれがないものである。
【００５７】
また本発明の請求項５記載の発明にあっては、請求項４において、誘導部材を収納状態にしたとき、誘導部材の誘導部を筺体の係止部に係止して固定するようにしたので、誘導部材を収納した状態から不用意に飛び出すのを防止でき、また使用しないとき誘導部材ががたつくのを防止できるものである。
また本発明の請求項６記載の発明にあっては、請求項１乃至請求項３のいずれかにおいて、誘導部材を筺体に対して出し入れ自在とし、誘導部材を筺体に入れたとき誘導部材の一部またはすべてを収納し得るようにしているので、誘導部材を使用しないときには誘導部材を収納して誘導部材をなくしたり、破損したりするのを防止することができるものである。
【００５８】
また本発明の請求項７記載の発明にあっては、請求項１乃至請求項５のいずれかにおいて、誘導部材は誘導部材に所定方向に一定以上の力が加わると筺体より離脱するようにしたので、誘導部材の使用時に誘導部材に外力が加わると外れて誘導部材が破損するのを防止することができるものであり、また誘導部材に外力が加わっても筺体側に無理な力がかからなく、筺体側が壊れたり、また筺体側が倒れて筺体の背面側のものを壊したりするのを防止することができるものである。
【００５９】
また本発明の請求項８記載の発明にあっては、請求項４において、誘導部材が自動的に回動して筺体に対して起倒するようにしているので、誘導部材を自動的に起倒させることができ、誘導部材を動かす手間を省くことが可能となり、また人によって動かすことがなくなって、故障の発生率を低減させることが可能となるものである。
【００６０】
また本発明の請求項９記載の発明にあっては、請求項１乃至請求項６のいずれかにおいて、誘導部材を持ち運び用の取手として兼用するようにしたので、誘導部材を取手として持つことができて運搬を容易にできるものであり、また取手を設けるために筺体に取手用の凹部を設けたりする必要がなく、筺体内の風洞内部に不必要な形状をなくして送風効率を上げることができると共に風洞内部に生じる気流渦を削減して低騒音化を達成することができるものである。
【００６１】
また本発明の請求項１０記載の発明にあっては、請求項１乃至請求項９のいずれかにおいて、誘導部材を回動して誘導部材の角度を可変できるようにして吸入口側に誘導する風量を可変するので、誘導部材により吸入口側へ落とし込む風量を可変させて吸い込み効率をベストの状態にすることが可能になるものである。
【００６２】
また本発明の請求項１１記載の発明にあっては、請求項１乃至請求項１０のいずれかにおいて、誘導部材の誘導部の角度を可変できるようにしたので、誘導部で風を誘導する向きを自在に変えることができ、風を誘導する方向によってはエアーカーテンとしても使用することが可能となるものである。
本発明の請求項１２記載の発明にあっては、筺体の内部にファンやフィルターを内蔵し、吸入口から吸引した粉塵や煙を浄化して清浄な空気を吐出口から吐出する空気清浄器において、吐出口から吐出された吐出風の一部あるいはすべてを吸入口側に誘導する誘導部材を設け、誘導部材で吸入口側に誘導する誘導風が当たる操作部を上記吐出口の吐出風量の少ない側に設けているので、吐出口から吐出された吐出風の一部あるはすべてを誘導部材で誘導して吸入口に導くことができ、この風でタバコの煙などの汚染物質が吸入口に導かれ、タバコの煙などの汚染物質が吸入口の外側に漏れるのを減少させることができるものであり、また吐出口から吐出された吐出風が誘導部材で誘導されることで周囲の汚れた空気を巻き込んで操作部に当たるおそれがあるが、操作部に対応する部分で吐出風量を少なくしていることで汚れた空気が操作部に当たりにくくなり、操作部の汚れが少なく、操作部の操作時に手を汚してしまうという問題を減少できるものである。
【００６３】
本発明の請求項１３記載の発明にあっては、請求項１２において、誘導部材を筺体に起倒自在に装着し、誘導部材を倒して収納状態にしたとき誘導部材で隠れない位置に操作部を形成しているので、部屋の清浄用として使用する場合等には、誘導部材を倒した収納状態でも操作部を操作して使用できるものである。
本発明の請求項１４記載の発明にあっては、筺体の内部にファンやフィルターを内蔵し、吸入口から吸引した粉塵や煙を浄化して清浄な空気を吐出口から吐出する空気清浄器において、空気を吸い込む吸入口を筺体に設け、筺体より離れた位置から吸入口に送風する送風手段を設けているので、筺体より離れた位置から吸入口に送風することで搬送風を形成し、この搬送風にてタバコの煙などの汚染物質が吸入口に導かれ、汚染物質が拡散しないように吸入口に円滑に導入できるものであって、タバコの煙等の汚染物質を効果的に吸引して空気を清浄化できるものである。
【００６４】
本発明の請求項１５記載の発明にあっては、請求項１４において、前記筺体の吸入口を有する外部の一面を前面とした場合、送風手段は平面視で前記前面の外側から送風するように形成されたので、拡散したタバコの煙等の汚染物質を捕集しやすく効率的に汚染物質を吸い込むことができるものである。
本発明の請求項１６記載の発明にあっては、請求項１４において、前記筺体の吸入口を有する外部の一面を前面とした場合、送風手段は平面視で前記前面の内側から送風するように形成されたので、手元にあるタバコの煙など汚染物質も効果的に吸い込みやすくなるものである。
【００６５】
本発明の請求項１７記載の発明にあっては、請求項１５において、送風手段により吸入口に送る風量を、筺体内部のファンにより吸い込む風量より小さくしたので、搬送風の風量を筺体の内部のファンより送風する風量より小さくすることで吸入口から吸い込みやすくなるものである。
本発明の請求項１８記載の発明にあっては、請求項１４乃至請求項１７において、送風手段は一端から筐体内で清浄化した清浄風を取り入れ、他部から吸入口に送風するダクトからなるので、筺体内を通過して清浄化された空気をダクトを通じて送風して吸入口に向かう搬送風を形成できるものであり、従って送風手段は１つで可能となって、スペース、コストの面で有利となるものである。
【００６６】
本発明の請求項１９記載の発明にあっては、請求項１８において、筺体内にダクトの一部を収納し得るように形成したので、ダクトの一部を収納できることで、オフィスなどのデスク上に置いた場合、視界を妨げるなどの支障が生じることがなくなるものである。
本発明の請求項２０記載の発明にあっては、請求項１９において、スイッチ操作によりダクトの収納や突出の動作をし得るようにしたので、スイッチ操作だけでダクトの収納や突出の操作ができて手動で収納や突出の操作を行うのに比べて操作の煩わしさを解消することができるものである。
【００６７】
本発明の請求項２１記載の発明にあっては、請求項２０において、空気の汚れを検知したとき、ダクトを所定位置に動作させるように形成したので、空気の汚れを検知すると同時にダクトを動作させることができ、手動でダクトを出す手間が省け、汚れに応じて空気を素早く清浄することが可能となるものである。
本発明の請求項２２記載の発明にあっては、請求項１８乃至請求項２１のいずれかにおいて、ダクトの他端の開口をエアーカーテンを形成するように長孔形状に形成したので、エアーカーテンを出すことによって気流が一定となって整流され、吸入口からスムーズに吸入されるものである。
【００６８】
本発明の請求項２３記載の発明にあっては、請求項２２において、ダクトの他端の開口にルーバーを設けたので、ルーバーを操作することで状況に合わせて風向を変更したり、風量を調整したりできるものである。
本発明の請求項２４記載の発明にあっては、請求項１８乃至請求項２１のいずれかにおいて、ダクトの他端の開口部を多数の孔にて形成したので、多数の孔からエアーカーテンを出すことによってより整流されて吸入口からスムーズに吸入されるものである。
【００６９】
本発明の請求項２５記載の発明にあっては、請求項１８乃至請求項２４のいずれかにおいて、ダクトの一部を取手を兼ねるように形成したので、別に取手を設ける必要がなくなり、スペースやコスト的に削減できるものである。
本発明の請求項２６記載の発明にあっては、請求項１８乃至請求項２５のいずれかにおいて、ダクトを回動可能に形成したので、ダクトを回動することでダクトから吹き出す風向きを調整でき、吸入口からより吸い込みやすい条件に調整可能となるものである。
【００７０】
本発明の請求項２７記載の発明にあっては、請求項１８乃至請求項２６のいずれかにおいて、ダクトを筺体の吸入口を有する外部の一面を見たとき筺体との間に所定量の空間を有するように形成したので、喫煙時のタバコの煙等の汚染物質を受ける面積が大きくなり、吸入口からより吸い込みやすくなるものである。
本発明の請求項２９記載の発明にあっては、請求項１４乃至請求項２８のいずれかにおいて、筺体の吸入口の後方側に吸入口から吸い込まれる空気と吐出口から吐出される清浄風の干渉を防止する壁部を設けたので、吸入口から吸い込まれる空気と吐出口から吐出される清浄風の干渉を壁部にて防止することができ、本来の目的である煙の吸引効果を十分に得ることができるものである。
【図面の簡単な説明】
【図１】本発明の空気清浄器の実施の形態の一例の一部切欠側面図である。
【図２】同上の正面図である。
【図３】同上の空気清浄器の分解斜視図である。
【図４】同上の空気清浄器の他の方向から見た一部分解斜視図である。
【図５】同上の誘導部材を示し、（ａ）は正面図、（ｂ）は側面から見た断面図である。
【図６】同上の誘導部材の使用状態と収納状態とを説明する側面図である。
【図７】同上の他例を示し、（ａ）は一部切欠側面図、（ｂ）は（ａ）のＡ部を拡大せる断面図である。
【図８】同上の他例を示し、（ａ）は誘導部材の使用状態の側面図、（ｂ）は誘導部材を収納する途中の側面図である。
【図９】同上の他例を示し、（ａ）は誘導部材にかかる外力を説明する側面図、（ｂ）は誘導部材の取り付け状態を示す断面図である。
【図１０】同上の他例を説明する概略斜視図である。
【図１１】同上の他例を示し、（ａ）は捕集部を展開した状態の側面図、（ｂ）は捕集部を二つ折りした状態の側面図である。
【図１２】同上の他例を示し、（ａ）は誘導部材の拡大した状態の断面図、（ｂ）（ｃ）は風向きを変えた状態を説明する説明図である。
【図１３】同上の他例を示す一部切欠正面図である。
【図１４】同上の他例を示す斜視図であり、（ａ）は誘導部材を起てた状態を示し、（ｂ）は誘導部材を倒した状態を示す。
【図１５】同上の他例の空気清浄器の通常時の状態を示し、（ａ）は正面図、（ｂ）は（ａ）のＥ部拡大断面図である。
【図１６】図１５の空気清浄器の転倒後の状態を示し、（ａ）は正面図、（ｂ）は（ａ）のＦ部拡大断面図である。
【図１７】（ａ）は同上の空気清浄器の転倒直後の状態を説明する説明図、（ｂ）は空気清浄器が転倒した後に誘導部材が乗り上げた状態を説明する説明図である。
【図１８】（ａ）は同上の他例のモータの取り付け状態を示す断面図、（ｂ）は従来のモータの取り付け状態を示す断面図、（ｃ）はモータが傾いて取り付けられた状態を示す説明図である。
【図１９】同上の他例の左用ルーバーを示し、（ａ）は平面図、（ｂ）は取り付け状態の正面から見た断面図である。
【図２０】同上の右用ルーバーを示し、（ａ）は平面図、（ｂ）は取り付け状態の正面から見た断面図である。
【図２１】同上の他例のフィルターの取り付け状態を示し、（ａ）は正規の状態にフィルターを装着した状態を示す説明図、（ｂ）は正規とは逆にフィルターを装着した状態を示す説明図である。
【図２２】同上の前面板を示し、（ａ）は背面図、（ｂ）は側面から見た断面図である。
【図２３】同上の他例を説明する説明図である。
【図２４】同上の他例を示す斜視図である。
【図２５】同上を他例を示す斜視図である。
【図２６】同上の他例を示し、（ａ）は斜視図、（ｂ）は断面図である。
【図２７】同上の他例を示す断面図である。
【図２８】同上の他例を示し、（ａ）は要部の斜視図、（ｂ）は断面図である。
【図２９】同上の他例を説明する説明図である。
【図３０】同上の他例を示す斜視図である。
【図３１】同上の他例を示し、（ａ）は斜視図、（ｂ）は側面図である。
【図３２】同上の他例を示す断面図である。
【図３３】同上の他例を示す斜視図である。
【図３４】同上の他例を示す断面図である。
【図３５】従来例を説明する側面図である。
【符号の説明】
１  筺体
２  ファン
３  フィルター
４  吸入口
５  吐出口
６  誘導部材
６ａ  捕集部
６ｂ  誘導部
６ｃ  脚部
７  フィン
【図１】
0003799772.tif 000002
【図２】
0003799772.tif 000003
【図３】
0003799772.tif 000004
【図４】
0003799772.tif 000005
【図５】
0003799772.tif 000006
【図６】
0003799772.tif 000007
【図７】
0003799772.tif 000008
【図８】
0003799772.tif 000009
【図９】
0003799772.tif 000010
【図１０】
0003799772.tif 000011
【図１１】
0003799772.tif 000012
【図１２】
0003799772.tif 000013
【図１３】
0003799772.tif 000014
【図１４】
0003799772.tif 000015
【図１５】
0003799772.tif 000016
【図１６】
0003799772.tif 000017
【図１７】
0003799772.tif 000018
【図１８】
0003799772.tif 000019
【図１９】
0003799772.tif 000020
【図２０】
0003799772.tif 000021
【図２１】
0003799772.tif 000022
【図２２】
0003799772.tif 000023
【図２３】
0003799772.tif 000024
【図２４】
0003799772.tif 000025
【図２５】
0003799772.tif 000026
【図２６】
0003799772.tif 000027
【図２７】
0003799772.tif 000028
【図２８】
0003799772.tif 000029
【図２９】
0003799772.tif 000030
【図３０】
0003799772.tif 000031
【図３１】
0003799772.tif 000032
【図３２】
0003799772.tif 000033
【図３３】
0003799772.tif 000034
【図３４】
0003799772.tif 000035
【図３５】
0003799772.tif 000036